(57)【要約】【課題】変速ギヤのシャフトに対する傾動に起因する不具合の発生を低減すること。【解決手段】変速ギヤ１２のボス部１２Ａがシャフト１１の連結部１１ａ上にスプライン等の結合構造にてトルク伝達可能に圧入嵌合されるように構成されている。変速ギヤ１２のボス部１２Ａをシャフト１１の連結部１１ａ上に圧入嵌合する際に、変速ギヤ１２のシャフト１１に対する同軸度を確保しながら変速ギヤ１２のボス部１２Ａを軸方向に移動可能に支持するガイド突起１１ｂがシャフト１１に設けられている。ガイド突起１１ｂは連結部１１ａから軸方向に所定量離れて配置されており、連結部１１ａのガイド突起１１ｂに近い側の端部からガイド突起１１ｂの連結部１１ａから遠い側の端部までの軸方向長さＬ４が、変速ギヤ１２のボス部１２Ａの内周に設けた結合部（内スプライン１２ａ）の軸方向長さＬ３に比して長く設定されている。【選択図】図２
2016102569.tif 000002
【特許請求の範囲】
【請求項１】
変速ギヤのボス部がシャフトの連結部上にスプライン等の結合構造にてトルク伝達可能に圧入嵌合されるように構成されている変速機であって、
前記変速ギヤのボス部を前記シャフトの連結部上に圧入嵌合する際に、前記変速ギヤの前記シャフトに対する同軸度を確保しながら前記変速ギヤのボス部を軸方向に移動可能に支持するガイド突起が前記シャフトに設けられている変速機。
【請求項２】
前記ガイド突起は前記連結部から軸方向に所定量離れて配置されており、前記連結部の前記ガイド突起に近い側の端部から前記ガイド突起の前記連結部から遠い側の端部までの軸方向長さが、前記変速ギヤのボス部の内周に設けた結合部の軸方向長さに比して長く設定されている請求項１に記載の変速機。
【請求項３】
前記ガイド突起が環状に形成されていて、同ガイド突起における前記連結部から遠い側の端部には、前記変速ギヤのボス部と前記ガイド突起との嵌合を誘導するテーパが設けられている請求項１または２に記載の変速機。
【発明の詳細な説明】
【技術分野】
【０００１】
本発明は、変速機に関し、特に、変速ギヤのボス部がシャフトの連結部上にスプライン等の結合構造にてトルク伝達可能に圧入嵌合されるように構成されている変速機に関する。
【背景技術】
【０００２】
変速機には、変速機において用いられているギヤ、すなわち、変速ギヤのボス部がシャフトの連結部上にスプライン等の結合構造にてトルク伝達可能に圧入嵌合されるように構成されているものがあり、例えば、下記特許文献１に記載されている。
【先行技術文献】
【特許文献】
【０００３】
【特許文献１】特開平１１−８２６４６号公報
【０００４】
上記特許文献１に記載されている変速機では、変速ギヤのボス部に設けた内スプラインがシャフトの連結部上に設けた外スプラインに圧入嵌合されてトルク伝達可能に連結される構成が記載されている。
【発明の概要】
【０００５】
ところで、上記特許文献１に記載されている変速機においては、変速ギヤのボス部をシャフトの連結部上に圧入嵌合する際に、変速ギヤがシャフトに対して傾動するおそれがあり、変速ギヤのシャフトに対する傾動に起因する不具合（内スプラインと外スプラインの圧入嵌合により発生するムシレやカジリによる圧入嵌合不良）が発生するおそれがある。
【０００６】
本発明は、上述した課題を解決すべくなされたものであり、
変速ギヤのボス部がシャフトの連結部上にスプライン等の結合構造にてトルク伝達可能に圧入嵌合されるように構成されている変速機であって、
前記変速ギヤのボス部を前記シャフトの連結部上に圧入嵌合する際に、前記変速ギヤの前記シャフトに対する同軸度を確保しながら前記変速ギヤのボス部を軸方向に移動可能に支持するガイド突起が前記シャフトに設けられていることに特徴がある。
【０００７】
本発明による変速機においては、上記したガイド突起がシャフトに設けられているため、ギヤ圧入時における変速ギヤの姿勢を安定させること（変速ギヤのシャフトに対する傾動を抑制すること）が可能であり、変速ギヤのシャフトに対する傾動に起因する不具合（スプライン等の結合部に発生するムシレやカジリによる圧入嵌合不良）の発生を低減することが可能である。
【０００８】
また、本発明による変速機においては、シャフトに設けられているガイド突起（環状であっても円弧状であってもよい）によって、シャフト外周に付着する潤滑油のシャフト径外方への飛散性能を高めることができて、当該変速機における被潤滑部（例えば、摺動部）への潤滑油の供給量を多くすることが可能である。
【０００９】
上記した本発明の実施に際して、前記ガイド突起は前記連結部から軸方向に所定量離れて配置されており、前記連結部の前記ガイド突起に近い側の端部から前記ガイド突起の前記連結部から遠い側の端部までの軸方向長さが、前記変速ギヤのボス部の内周に設けた結合部の軸方向長さに比して長く設定されていることも可能である。この場合には、上記のように設定しない場合に比して、前記シャフト上での前記変速ギヤのガタ（傾動量）を低減することが可能であり、上記した不具合の発生を一層低減することが可能である。
【００１０】
これらの場合において、前記ガイド突起が円環状に形成されていて、同ガイド突起における前記連結部から遠い側（挿入側）の端部には、前記変速ギヤのボス部と前記ガイド突起との嵌合を誘導するテーパが設けられていることも可能である。この場合には、上記したテーパが設けられているため、変速ギヤをシャフトに容易に組付けることが可能であり、作業効率を高めることが可能である。
【図面の簡単な説明】
【００１１】
【図１】本発明による変速機の一実施形態を示した要部断面図である。
【図２】図１に示した変速ギヤがシャフトに圧入嵌合される直前の要部断面図である。
【図３】図１に示したシャフトの３−３線に沿った断面図（ガイド突起のスプライン形状を省略した図）である。
【図４】ガイド突起の変形実施形態を示す図３相当の断面図である。
【発明を実施するための形態】
【００１２】
以下に、本発明の実施形態を図面に基づいて説明する。図１〜図３は本発明による変速機の一実施形態を示したものであり、この実施形態では手動変速機のインプットシャフト１１とドライブギヤ（変速ギヤ）１２におけるボス部１２Ａとの結合部位に本発明が実施されている。インプットシャフト１１は、軸受を介してケーシング（共に図示省略）に回転自在に支持されていて、連結部１１ａとガイド突起１１ｂが形成されている。
【００１３】
連結部１１ａは、外周がスプライン形状に形成されていて、外径がＤ１で、軸方向長さがＬ１で形成されている。ガイド突起１１ｂは、図３に示したように、円環状に形成されていて、連結部１１ａから軸方向に所定量Ｌｏ離れて配置されている。また、ガイド突起１１ｂは、外周がスプライン形状に形成されていて、外径がＤ２（Ｄ１に比して僅かに小径である）で、軸方向長さがＬ２で形成されている。
【００１４】
ドライブギヤ１２は、ボス部１２Ａの内周に設けた内スプライン１２ａ（結合部）にてインプットシャフト１１の連結部１１ａ上にトルク伝達可能に圧入嵌合されていて、外周に設けた歯部１２ｂにてアウトプットシャフト１３に組付けたドリブンギヤ１４の歯部１４ａに常時噛合している。なお、ドリブンギヤ１４は、アウトプットシャフト１３に対して軸線方向移動が拘束された状態で回転自在に支持されていて、周知の同期装置２０（詳細な説明は省略する）によってアウトプットシャフト１３に対し係合（一体回転可能）・離脱（相対回転可能）可能に構成されている。
【００１５】
ところで、この実施形態において、ガイド突起１１ｂは、図２に示したように、ドライブギヤ１２のボス部１２Ａに設けた内スプライン１２ａをインプットシャフト１１の連結部１１ａ上に圧入嵌合する際に機能するものであり、内スプライン１２ａの内径Ｄｏが連結部１１ａの外径Ｄ１より小さくかつガイド突起１１ｂの外径Ｄ２より大きく形成されていて、圧入嵌合に際して、ドライブギヤ１２のインプットシャフト１１に対する同軸度を確保しながらドライブギヤ１２のボス部１２Ａを軸方向に移動可能に支持する。
【００１６】
このため、この実施形態では、ギヤ圧入時におけるドライブギヤ１２の姿勢を安定させること（ドライブギヤ１２のインプットシャフト１１に対する傾動を抑制すること）が可能であり、ドライブギヤ１２のインプットシャフト１１に対する傾動に起因する不具合（スプライン結合部に発生するムシレやカジリによる圧入嵌合不良）の発生を低減することが可能である。
【００１７】
また、この実施形態では、インプットシャフト１１に設けられているガイド突起１１ｂによって、インプットシャフト１１外周に付着する潤滑油のシャフト径外方への飛散性能を高めることができて、当該変速機における被潤滑部（例えば、同期装置２０における摺動部）への潤滑油の供給量を多くすることが可能である。
【００１８】
また、この実施形態では、ガイド突起１１ｂが連結部１１ａから軸方向に所定量Ｌｏ離れて配置されており、連結部１１ａのガイド突起１１ｂに近い側（図示左側）の端部からガイド突起１１ｂの連結部１１ａから遠い側（図示左側）の端部までの軸方向長さＬ４がドライブギヤ１２のボス部１２Ａにおける内スプライン１２ａ（ボス部の内周に設けた結合部）の軸方向長さＬ３に比して長く設定されている。
【００１９】
このため、この実施形態では、上記のように設定しない場合に比して、インプットシャフト１１上でのドライブギヤ１２のガタ（傾動量）を低減することが可能であり、上記した不具合（スプライン結合部に発生するムシレやカジリによる圧入嵌合不良）の発生を一層低減することが可能である。
【００２０】
また、この実施形態では、ガイド突起１１ｂが円環状に形成されていて、同ガイド突起１１ｂにおける連結部１１ａから遠い側（図示左側の挿入側）の端部には、ドライブギヤ１２のボス部１２Ａとガイド突起１１ｂとの嵌合を誘導するテーパ１１ｂ１が設けられている。このため、ドライブギヤ１２をインプットシャフト１１に容易に組付けることが可能であり、作業効率を高めることが可能である。
【００２１】
上記実施形態では、ガイド突起１１ｂを円環状に形成して実施したが、ガイド突起１１ｂの形状は、圧入嵌合に際して、ドライブギヤ１２のインプットシャフト１１に対する同軸度を確保しながらドライブギヤ１２のボス部１２Ａを軸方向に移動可能に支持する機能を有しておれば、適宜変更（外周にスプラインが形成されていない形状であってもよく、外周の形状は、ガイド機能があれば、どのような形状でも適宜設定可能）が可能であり、例えば、図４に示したように、円弧状であってもよい。なお、図４に示した円弧状のガイド突起１１ｂは、周方向にて等間隔に３個形成されている。
【００２２】
また、上記実施形態においては、手動変速機のインプットシャフト１１とドライブギヤ１２におけるボス部１２Ａとの結合部位（シャフトと変速ギヤを一体的に結合する部位）に本発明を実施したが、本発明は手動変速機のアウトプットシャフトとドリブンギヤを一体的に結合する部位は勿論のこと、自動変速機のシャフトとギヤを一体的に結合する部位にも同様に実施することが可能である。
【００２３】
また、上記実施形態においては、シャフトと変速ギヤを一体的に結合する部位（結合構造）にて、スプラインの圧入嵌合が採用されているが、スプライン以外の圧入嵌合（例えば、セレーションの圧入嵌合）が採用されている部位にも本発明は同様に実施することが可能である。
【符号の説明】
【００２４】
１１…インプットシャフト、１１ａ…連結部、１１ｂ…ガイド突起、１１ｂ１…テーパ、１２…ドライブギヤ（変速ギヤ）、１２Ａ…ボス部、１２ａ…内スプライン（変速ギヤのボス部の内周に設けた結合部）、１２ｂ…歯部、２０…同期装置
【図１】
2016102569.tif 000003
【図２】
2016102569.tif 000004
【図３】
2016102569.tif 000005
【図４】
2016102569.tif 000006